(57)【特許請求の範囲】
【請求項１】
表示器と、固有の識別コードを有する複数の入力端末と、を備え、各入力端末から送信される入力信号に基づいて入力端末と表示器との間で無線通信を行う通信システムであって、
上記表示器は、
上記各入力端末が有する識別コードを記憶する識別コード記憶手段と、
上記各入力端末からの入力信号を受信し、受信した入力信号に含まれる識別コードを上記識別コード記憶手段に記憶された識別コードに基づき判別して各入力端末向け又は特定のグループに属する入力端末向けの表示を行う表示手段と、
上記表示手段による表示内容に対して応答した入力端末からの入力信号を受信し、上記表示手段の表示内容と上記入力端末の応答内容からなる応答履歴を上記識別コードに基づいて記憶する応答履歴記憶手段と、
を具備することを特徴とする通信システム。
【請求項２】
ホストコンピュータと、ホストコンピュータに接続された複数の表示器と、固有の識別コードを有する複数の入力端末と、を備え、各入力端末から送信される入力信号に基づいて入力端末と表示器との間で無線通信を行う通信システムであって、
上記ホストコンピュータは、
上記各入力端末が有する識別コードを記憶する識別コード記憶手段と、
上記各入力端末からの入力信号を上記表示器にて受信し、受信した入力信号に含まれる識別コードを上記識別コード記憶手段に記憶された識別コードに基づき判別して各入力端末向け又は特定のグループに属する入力端末向けの表示を上記表示器に行わせる制御手段と、
上記表示器による表示内容に対して応答した入力端末からの入力信号を上記表示器で受信し、上記表示器の表示内容と上記入力端末の応答内容からなる応答履歴を上記識別コードに基づいて記憶する応答履歴記憶手段と、
上記各表示器の設置場所情報を記憶しておき、上記入力端末からの入力信号をどの表示器で受信したのかを検出する検出手段と、
を具備することを特徴とする通信システム。
【発明の詳細な説明】
【０００１】
【発明の属する技術分野】
本発明は通信システムに関し、特に識別コードを有する各入力端末からの入力信号に応答して各入力端末と表示器間で無線通信を行う通信システムに関する。
【０００２】
【従来の技術】
従来の通信システムにおいて、各入力端末からの入力信号に応答して各入力端末と表示器間で無線通信を行うものが知られている。
【０００３】
図６は、従来の通信システムの構成図であるが、通信システム１００は、表示器６０と複数の入力端末７０−１，７０−２，……７０−ｎより構成され、表示器６０は表示部６１と受信部６２を具備している。
【０００４】
このような構成において、いずれかの入力端末７０（複数の入力端末を入力端末７０で代表する）から表示器６０に向けて入力信号が出力されると、表示器６０の受信部６２で受信され、所定の表示が表示器６０の表示部６１に表示される。
【０００５】
【発明が解決しようとする課題】
しかしながら、上記のごとき従来装置にあっては、各入力端末７０は個々の入力端末としての識別力を有さず、入力端末としては同一の入力端末である。従って、表示器６０では、表示器６０に向けた入力信号を受信したとしても、どの入力端末から出力された入力信号か分からず、単に入力信号に伴う所定の表示が行われるだけであった。
【０００６】
つまり、従来の通信システムでは、各入力端末の個体識別ができず、表示器６０は表示器６０に向けて入力信号を出力した特定の個人向けの表示はできないという不具合があった。従って、また特定のグループ向けの表示もできないという不具合があった。
【０００７】
そこで、本発明は、特定の個人またはグループ向けの表示ができ、これによって各入力端末の所持者と表示器間で双方向通信のできる通信システムを提供することを目的とする。
【０００８】
【課題を解決するための手段】
上記目的を達成するため、請求項１の発明は、表示器と、固有の識別コードを有する複数の入力端末と、を備え、各入力端末から送信される入力信号に基づいて入力端末と表示器との間で無線通信を行う通信システムであって、上記表示器は、上記各入力端末が有する識別コードを記憶する識別コード記憶手段と、上記各入力端末からの入力信号を受信し、受信した入力信号に含まれる識別コードを上記識別コード記憶手段に記憶された識別コードに基づき判別して各入力端末向け又は特定のグループに属する入力端末向けの表示を行う表示手段と、上記表示手段による表示内容に対して応答した入力端末からの入力信号を受信し、上記表示手段の表示内容と上記入力端末の応答内容からなる応答履歴を上記識別コードに基づいて記憶する応答履歴記憶手段と、を具備することを特徴とする。
【０００９】
請求項２の発明は、ホストコンピュータと、ホストコンピュータに接続された複数の表示器と、固有の識別コードを有する複数の入力端末と、を備え、各入力端末から送信される入力信号に基づいて入力端末と表示器との間で無線通信を行う通信システムであって、上記ホストコンピュータは、上記各入力端末が有する識別コードを記憶する識別コード記憶手段と、上記各入力端末からの入力信号を上記表示器にて受信し、受信した入力信号に含まれる識別コードを上記識別コード記憶手段に記憶された識別コードに基づき判別して各入力端末向け又は特定のグループに属する入力端末向けの表示を上記表示器に行わせる制御手段と、上記表示器による表示内容に対して応答した入力端末からの入力信号を上記表示器で受信し、上記表示器の表示内容と上記入力端末の応答内容からなる応答履歴を上記識別コードに基づいて記憶する応答履歴記憶手段と、上記各表示器の設置場所情報を記憶しておき、上記入力端末からの入力信号をどの表示器で受信したのかを検出する検出手段と、を具備することを特徴とする。
【００１６】
この発明では、各入力端末はそれぞれ自己の識別コードを有している。従って、入力端末からの入力信号を受信した表示器はどの入力端末からの入力信号を受信したか分かり、これによってに表示器は各入力端末向けの表示を行うことができる。
【００１７】
また、この発明では、表示器は、入力信号のあった各入力端末の識別コードを記憶し、この記憶された識別コードに基づいて入力信号のあった各入力端末向けのデータを送信し、さらにこの送信されたデータに応答して各入力端末が返送したデータを各入力端末毎に個別に記憶するので、各入力端末との個別の双方向通信ができる。
【００１８】
また、この発明では、ホストコンピュータに複数の表示器を有線接続して通信システムを構築できるので、広い場所の随所に設置された表示器を用いて各入力端末所持者との双方向通信ができる。
【００１９】
【発明の実施の形態】
以下、本発明に係る通信システムの実施の形態を図面に基づいて説明する。
【００２０】
図１は本発明の第１の実施形態の概略構成を示すブロック図である。図１において、通信システム１は、表示器２０と複数の入力端末１０−１，１０−２，……１０−ｎより構成され、表示器２０は表示部２１と受信部２２を具備している。
【００２１】
このような構成において、いずれかの入力端末１０（複数の入力端末を入力端末１０で代表する）から表示器２０に向けて入力信号が出力されると、表示器２０の受信部２２で受信され、所定の表示が表示器２０の表示部２１に表示されるが、本実施形態では各入力端末１０は個別の識別コード４０を有している。従って、いずれかの入力端末１０からの入力信号を受信した表示器２０は、入力信号中に含まれる識別コード４０より、入力信号がどの入力端末から出力されたか判別できる。
【００２２】
なお、識別コード４０の設定は、例えば識別コード設定のための図示しないディップスィッチを具備し、このディップスィッチを切り替えることで識別コード４０を設定することができる。
【００２３】
図２には、表示器２０の電気的な構成が示されている。表示器２０は、制御部２３を中心に構成され、さらに表示部２１、受信部２２、記憶部２４、送信部２５を具備している。
【００２４】
ここで、制御部２３はＣＰＵ等より構成され、装置全体を統括制御する。
【００２５】
また、表示部２１は液晶等より構成され、各入力端末からの入力信号に応答して各入力端末向け、あるいは特定のグループ向けの表示をする。
【００２６】
受信部２２は、各入力端末からの入力信号を受信する。
【００２７】
記憶部２４は、後に詳述するように、受信部２２で各入力端末からの入力信号を受信すると、その入力信号中に含まれる識別コードを記憶し、さらに表示器２０から各入力端末向けの表示が行われてその応答信号が受信されると、記憶された識別コードに基づきそれらの応答履歴を記憶する。
【００２８】
送信部２５は、各入力端末向けの送信信号を出力する。
【００２９】
以上が構成であるが、次にその動作を説明する。
【００３０】
本実施形態では、各入力端末１０が固有の識別コードを有し、各入力端末１０が表示器２０に対する入力信号を出力するときには、各入力端末１０が有する識別コードを含めて出力する。このため、各入力端末１０からの出力信号を受信した表示器２０は、その出力信号がどの入力端末から出力されたものか判別でき、表示器２０は出力信号を出力した入力端末毎の表示を表示部２１で行うことができる。また、出力信号を出力した入力端末が特定のグループに属する場合は、その出力信号をトリガとして特定のグループ向けの表示を表示部２１で行うことができる。
【００３１】
図３は、このような場合の表示部２１の表示例を示すものである。図３は、ある特定の入力端末からの出力信号を受信した場合の表示例である。図３（ａ）では、ある入力端末１０からの入力があると、その入力端末１０の有する識別番号が記憶部２４に記憶され、さらにその識別番号に基づいて、予め用意されていた「質問１」を表示する。
【００３２】
次に、「質問１」の表示に応答して出力信号を出力した者が応答すると、その応答内容が記憶部２４に記憶される。次に、「質問１」の応答内容に応じて図３（ｂ）に示す「質問２」が表示される。これは、「質問１」の応答方法には、「Ｙｅｓ」と「Ｎｏ」があるので、その応答方法に応じて、例えば「質問２」が表示される。なお、質問内容は予め記憶部２４に記憶しておいて、次の質問は応答内容に応じて自動的に表示されるように構成することもできるが、装置の管理者がその都度表示内容を選択するよう構成することもできる。そして、「質問２」に対する応答があると、その質問内容および応答内容が記憶部２４にさらに記憶される。
【００３３】
なお、以上の説明では、ある特定の入力端末からの出力信号を受信した場合の表示例を示したが、特定のグループ向けの表示を行うこともできる。この場合、質問内容は全員同一の質問として、応答内容についてはそれぞれの個人の応答内容を記憶部２４に記憶するようにすることができる。
【００３４】
また、この場合、表示部２１の画面を分割して各人毎の質問内容を表示部２１に表示するようにすることもできる。
【００３５】
なお、以上の説明では、入力端末１０から出力された出力信号を表示器２０が受信したばあいのみ表示器２０に所定の表示がされるものとして本装置の構成を説明してきたが、いったん特定の人の識別コードを記憶すると、そのような出力信号に基づくことなく、必要に応じて表示器２０側から特定の人向けの表示をすることができることは勿論である。
【００３６】
ところで、以上の説明では、１つの表示器２０と複数の入力端末１０とで通信システムが構成される場合について説明したが、次にホストコンピュータと、このホストコンピュータに接続された複数の表示器とで表示器側が構成され、この表示器側と識別コードを有する入力端末とで通信システムが構成される場合の実施形態を説明する。
【００３７】
図４はこのような第２の実施形態の概略構成を示すブロック図である。図４において、通信システム２は、ホストコンピュータ３０と、ホストコンピュータ３０と信号線３５で接続された複数の表示器２０−１、２０−２、……２０−ｍと、複数の入力端末１０−１，１０−２，……１０−ｎより構成されている。
【００３８】
ここで、ホストコンピュータ３０は、制御部３１と記憶部３２より構成されている。
【００３９】
制御部３１は、ホストコンピュータ３０およびホストコンピュータ３０に接続された複数の表示器２０（複数の表示器を表示器２０で代表する）を統括制御する。
【００４０】
また、記憶部３２は、表示器２０で各入力端末からの入力信号を受信すると、その入力信号中に含まれる識別コードを記憶し、さらに表示器２０から各入力端末向けの表示が行われてその応答信号が受信されると、記憶された識別コードに基づきそれらの応答履歴を記憶する。従って、この第２の実施形態では、上記第１の実施形態と異なり、ホストコンピュータ３０側の記憶部３２で個々の入力端末１０の応答履歴を記憶している。
【００４１】
なお、表示器２０および入力端末１０の構成は、上記第１の実施形態の場合と基本的には同一である。
【００４２】
ところで、この第２の実施形態では、複数の表示器２０を設けて通信システム２を構成している。
【００４３】
従って、工場、デパート、駅、空港等のような広い場所に本通信システムを適用して、それらの場所の随所に表示器２０を設ければ、その広い場所を移動している人からの入力に基づいて表示器２０に所望の表示をさせることができる。また、この人達向けの表示を、この人達の入力に基づくことなく表示することもできる。
【００４４】
従って、ある人の呼び出しをしたい場合には、ホストコンピュータ３０側の指令で表示器２０にその旨の表示をさせ、これに基づいて呼び出された人が自己の入力端末１０を用いて応答したならば、さらに呼び出し場所等の次の表示をホストコンピュータ３０側の指令で表示器２０に表示させることができる。
【００４５】
また、この場合、ホストコンピュータ３０側には各表示器２０の設置場所情報を記憶させておくことができるので、呼び出し人の入力がどの表示器２０で受信されたかを検出することにより、ホストコンピュータ３０は呼び出し人が現在どこにいるかも検出できる。
【００４６】
そして、このような利用形態では、デパート、駅等内の静粛性を害することなく特定の人の呼び出し等ができる。
【００４７】
ところで、図４に示すよう通信システムがデパートや駅等に複数存在する場合が考えられる。
【００４８】
例えば、図５に示すごとく、通信システム２Ａと２Ｂが同一場所に混在している場合である。ここで、通信システム２Ａは、ホストコンピュータ３０Ａと、ホストコンピュータ３０Ａと信号線３５Ａで接続された複数の表示器２０−１Ａ、２０−２Ａ、……２０−ｍＡと、通信システム２Ａに属する複数の入力端末（図示せず）より構成され、通信システム２Ｂは、ホストコンピュータ３０Ｂと、ホストコンピュータ３０Ｂと信号線３５Ｂで接続された複数の表示器２０−１Ｂ、２０−２Ｂ、……２０−ｍＢと、通信システム２Ｂに属する複数の入力端末（図示せず）より構成されている。
【００４９】
このような場合、各入力端末は通信システム２Ａか２Ｂのいずれかの通信システムに属しているわけであるが、各入力端末からの出力信号に自己の識別コード４０を含ませるだけでは、両通信システム２Ａ、２Ｂの表示器はともに各入力端末からの出力信号を受信して、通信システムとしての誤動作の原因となる。
【００５０】
そこで、この場合は、図５に示すごとく、各入力端末に自己の識別コード４０だけでなく、各入力端末の属する通信システムのシステムコード５０を記憶させると良い。図５に示す例では、入力端末１０はシステムコード５０として（Ａ）を有し、通信システム２Ａに属する入力端末であることが分かるので、通信システム２Ａに属する表示器２０−１Ａ、２０−２Ａ、……２０−ｍＡのみその出力信号が受信され、通信システム２Ｂに属する表示器２０−１Ｂ、２０−２Ｂ、……２０−ｍＢでは受信されない。
【００５１】
このため、各通信システムの誤動作を防止できるという効果を有する。
【００５２】
【発明の効果】
以上説明したように、本発明では、各入力端末はそれぞれ自己の識別コードを有している。従って、入力端末からの入力信号を受信した表示器はどの入力端末からの入力信号を受信したか分かり、これによってに表示器は各入力端末向けの表示を行うことができるので、特定の個人またはグループ向けの表示ができ、これによって各入力端末の所持者と表示器間で双方向通信のできる通信システムを得ることができる等の効果を有する。
【図面の簡単な説明】
【図１】本発明に係る通信システムの第１の実施形態を示す概略構成図。
【図２】図１に示した通信システムに使用される表示器の電気的な構成を示すブロック図。
【図３】図１に示した通信システムに使用される表示器の表示例を示す図。
【図４】本発明に係る通信システムの第２の実施形態を示す概略構成図。
【図５】異なる通信システムの表示器が隣接する場合の説明図。
【図６】従来の通信システムの構成を示すブロック図。
【符号の説明】
１  通信システム
２  通信システム
２Ａ、２Ｂ  通信システム
１０  入力端末
１０−１、１０−２、……１０−ｎ  入力端末
２０  表示器
２０−１、２０−２、……２０−ｍ  表示器
２１  表示部
２２  受信部
２３  制御部
２４  記憶部
２５  送信部
３０  ホストコンピュータ
３０Ａ、３０Ｂ  ホストコンピュータ
３１  制御部
３２  記憶部
３５  信号線
４０  識別コード
５０  システムコード
【図１】
0003783740.tif 000002
【図２】
0003783740.tif 000003
【図３】
0003783740.tif 000004
【図４】
0003783740.tif 000005
【図５】
0003783740.tif 000006
【図６】
0003783740.tif 000007